(57)【要約】【課題】一対の搬送ローラに挟まった用紙を容易に除去することができる画像形成装置を提供する。【解決手段】用紙に画像を形成する画像形成部を有する装置本体と、互いに接触し、前記画像形成部に向けて用紙を搬送する一対の搬送ローラと、前記一対の搬送ローラに向けて用紙を導いて搬送する搬送部材と、前記装置本体の側面を開閉する開閉部材と、を備え、前記一対の搬送ローラのうち一方は装置本体に設けられるとともに、他方が前記搬送部材に設けられるとともに、前記搬送部材は、前記一対の搬送ローラと平行な軸を中心に回転可能とされ、前記開閉部材が側面を開放する開位置に移動した際に、前記軸を中心に回転して前記一対の搬送ローラの接触が解除可能とされる。【選択図】図６
2014139602.tif 000002
【特許請求の範囲】
【請求項１】
用紙に画像を形成する画像形成部を有する装置本体と、
互いに接触し、前記画像形成部に向けて用紙を搬送する一対の搬送ローラと、
前記一対の搬送ローラに向けて用紙を導いて搬送する搬送部材と、
前記装置本体の側面を開閉する開閉部材と、を備え、
前記一対の搬送ローラのうち一方は装置本体に設けられるとともに、他方が前記搬送部材に設けられるとともに、前記搬送部材は、前記一対の搬送ローラと平行な軸を中心に回転可能とされ、
前記開閉部材が側面を開放する開位置に移動した際に、前記軸を中心に回転して前記一対の搬送ローラの接触が解除可能とされた、
ことを特徴とする画像形成装置。
【請求項２】
前記装置本体は、前記搬送部材を位置決めする位置決め部を備え、
前記開閉部材が前記開位置から側面を閉塞する閉位置に移動する際に、前記規制部材は前記開閉部材によって前記位置決め部へ移動されるとともに、前記一対の搬送ロールが接触する、
ことを特徴とする請求項１に記載の画像形成装置。
【請求項３】
前記開閉部材が開位置へ移動する際に、前記一対の搬送ローラの接触を解除する方向に力を付与する手段を備えた、
ことを特徴とする請求項１又は２に記載の画像形成装置。
【請求項４】
前記規制部材が前記位置決め部に位置決めされた状態において、前記位置決め部は、前記一対の搬送ロールの接触による反力と相対する面を有する、
ことを特徴とする請求項２又は３に記載の画像形成装置。
【請求項５】
前記規制部材が前記位置決め部に位置決めされた状態において、前記位置決め部は、前記他方の搬送ロールが用紙の搬送方向下流側への移動を規制する面を有する、
ことを特徴とする請求項２ないし４のいずれか１項に記載の画像形成装置
【請求項６】
前記規制部材が前記位置決め部に位置決めされた状態において、前記開閉部材は、前記一対の搬送ロールよりも用紙の搬送方向上流側を支持する、
ことを特徴とする請求項２ないし５のいずれか１項に記載の画像形成装置。
【発明の詳細な説明】
【技術分野】
【０００１】
本発明は、画像形成装置に関する。
【背景技術】
【０００２】
媒体搬送路に配置され、媒体の搬送方向に対して直交する方向に延設されたガイド部材本体と、ガイド部材本体の両端において媒体の搬送方向の上流側に形成された回転軸と、ガイド部材本体の両端において媒体の搬送方向に対して直交する方向に形成され、回転軸を中心にして回転するガイド部材本体に対して回転角度を一定範囲に規制する第１の係合部とを有する媒体搬送ガイド部材が知られている（特許文献１）。
装置本体が、不動部筐体と、不動部筐体の下部を回転中心として不動部筐体に対して転写紙搬送経路を開放するように回動する前部筐体とからなり、外装面が転写紙搬送経路の一方のガイド面をなすように不動部筐体側にセットされた中間転写体を含むプロセスカートリッジを有し、プロセスカートリッジの画像転写位置の手前側に配置される転写紙搬送用の一対の搬送ローラを、前部筐体側に配設したカラー画像形成装置も知られている（特許文献２）。
【先行技術文献】
【特許文献】
【０００３】
【特許文献１】特開２０１０−２８５２５３号公報
【特許文献２】特開平０９−２５８６０７号公報
【発明の概要】
【発明が解決しようとする課題】
【０００４】
本発明は、一対の搬送ローラに挟まった用紙を容易に除去することができる画像形成装置を提供することを目的とする。
【課題を解決するための手段】
【０００５】
前記課題を解決するために、請求項１記載の画像形成装置は、
用紙に画像を形成する画像形成部を有する装置本体と、
互いに接触し、前記画像形成部に向けて用紙を搬送する一対の搬送ローラと、
前記一対の搬送ローラに向けて用紙を導いて搬送する搬送部材と、
前記装置本体の側面を開閉する開閉部材と、を備え、
前記一対の搬送ローラのうち一方は装置本体に設けられるとともに、他方が前記搬送部材に設けられるとともに、前記搬送部材は、前記一対の搬送ローラと平行な軸を中心に回転可能とされ、
前記開閉部材が側面を開放する開位置に移動した際に、前記軸を中心に回転して前記一対の搬送ローラの接触が解除可能とされた、
ことを特徴とする。
【０００６】
請求項２記載の発明は、請求項１に記載の画像形成装置において、
前記装置本体は、前記搬送部材を位置決めする位置決め部を備え、
前記開閉部材が前記開位置から側面を閉塞する閉位置に移動する際に、前記規制部材は前記開閉部材によって前記位置決め部へ移動されるとともに、前記一対の搬送ロールが接触する、
ことを特徴とする。
【０００７】
請求項３記載の発明は、請求項１又は２に記載の画像形成装置において、
前記開閉部材が開位置へ移動する際に、前記一対の搬送ローラの接触を解除する方向に力を付与する手段を備えた、
ことを特徴とする。
【０００８】
請求項４記載の発明は、請求項２又は３に記載の画像形成装置において、
前記規制部材が前記位置決め部に位置決めされた状態において、前記位置決め部は、前記一対の搬送ロールの接触による反力と相対する面を有する、
ことを特徴とする。
【０００９】
請求項５記載の発明は、請求項２ないし４のいずれか１項に記載の画像形成装置において、
前記規制部材が前記位置決め部に位置決めされた状態において、前記位置決め部は、前記他方の搬送ロールが用紙の搬送方向下流側への移動を規制する面を有する、
ことを特徴とする。
【００１０】
請求項６記載の発明は、請求項２ないし５のいずれか１項に記載の画像形成装置において、
前記規制部材が前記位置決め部に位置決めされた状態において、前記開閉部材は、前記一対の搬送ロールよりも用紙の搬送方向上流側を支持する、
ことを特徴とする。
【発明の効果】
【００１１】
請求項１に記載の発明によれば、開閉部材が開位置に移動した際に一対の搬送ローラの接触が解除されない場合に比べて、一対の搬送ローラに挟まった用紙を容易に除去することができる。
請求項２に記載の発明によれば、開閉部材を閉位置へ移動することで、一対の搬送ローラを接触させることができる。
請求項３に記載の発明によれば、本発明の構成を有しない場合に比べて、一対の搬送ローラの接触の解除が促進される。
請求項４に記載の発明によれば、本発明の構成を有しない場合に比べて、開閉部材に加わる力が軽減される。
請求項５に記載の発明によれば、用紙の搬送方向へ他方の搬送ローラに力が加わった際に、本構成を有しない場合に比べて、開閉部材に加わる力が軽減する。
請求項６に記載の発明によれば、一対の搬送ローラに挟まった用紙の引き抜きで一対の搬送ローラの接触が解除できる。
【図面の簡単な説明】
【００１２】
【図１】画像形成装置１の内部構成を示す縦断面模式図である。
【図２】画像形成装置１の用紙搬送部の内部構成と用紙搬送を示す断面模式図である。
【図３】画像形成装置１の用紙搬送部の部分断面模式図である。
【図４】開閉扉１１０の開動作による用紙搬送ユニット５０の移動を説明するための部分模式図である。
【図５】係止突起５４と凹み１０３との位置決め係止の解除構造の一例を説明するための模式図である。
【図６】開閉扉１１０の閉動作による用紙搬送ユニット５０の移動を説明するための部分模式図である。
【図７】開閉扉１１０の閉動作による転写搬送ユニット６０の移動を説明するための部分模式図である。
【図８】画像形成装置１Ａの用紙搬送部の部分断面模式図である。
【図９】開閉扉１１０Ａの閉動作による用紙搬送ユニット５０Ａの移動を説明するための部分模式図である。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１４】
「第１実施形態」
（１）画像形成装置の全体構成及び動作
図１は本実施形態に係る画像形成装置１の内部構成を示す縦断面模式図である。
以下、図面を参照しながら、画像形成装置１の全体構成及び動作を説明する。
【００１５】
画像形成装置１は、筐体１００内に、制御ユニット１０、給紙ユニット２０、感光体ユニット３０、現像ユニット４０、用紙搬送ユニット５０、転写搬送ユニット６０、定着ユニット７０等を備えて構成されている。画像形成装置１の上面（Ｚ方向）には、画像が記録された用紙が排出・収容される排出トレイ部Ｔが形成されている。さらに、画像形成装置１の後面（Ｘ方向）には、用紙が紙詰まりした際の除去や内部の点検等をする場合に、画像形成装置１内部を開放する開閉扉１１０が回転可能に支持されている。
【００１６】
制御ユニット１０は、画像形成装置１の動作を制御するコントローラ１１と、コントローラ１１により作動を制御される画像処理装置１２、電源装置１３等を有する。電源装置１３は、後述する帯電ローラ３２、現像ローラ４２、転写ローラ６２等に電圧を印加する。
画像処理装置１２は、外部の情報送信装置（例えばパーソナルコンピュータ等）から入力された印刷情報を潜像形成用の画像情報に変換して予め設定されたタイミングで、駆動信号を露光装置ＬＨに出力する。本実施形態の露光装置ＬＨは、ＬＥＤ（Light  Emitting  Diode）が線状に配置されたＬＥＤヘッドにより構成されている。
【００１７】
画像形成装置１の底部には、給紙ユニット２０が設けられている。給紙ユニット２０は、用紙積載板２１を備え、用紙積載板２１の上面には多数の記録媒体としての用紙が積載される。用紙積載板２１に積載され、規制板（不図示）で幅方向位置が決められた用紙は、上側から１枚ずつ用紙引き出し部２２により前方（−Ｘ方向）に引き出された後、筐体１００の内部に固定された第１の搬送ユニットとしての用紙案内ガイド２３と、第２の搬送ユニットとしての用紙搬送ユニット５０に形成された用紙案内ガイド５１を経由して駆動ローラ２４ａと従動ローラ２４ｂとからなる搬送ローラ対２４の接触部まで搬送される。
用紙案内ガイド５１は湾曲した形状を成し、用紙引き出し部２２により引き出された用紙を搬送ローラ対２４に向けて導く。
【００１８】
感光体ユニット３０は、給紙ユニット２０の上方（Ｚ方向）に設けられ、回転駆動する像保持体としての感光体ドラム３１を備えている。感光体ドラム３１の回転方向にそって、帯電ローラ３２、露光装置ＬＨ、現像ユニット４０、転写ローラ６２、クリーニングブレード３４が配置されている。帯電ローラ３２には、帯電ローラ３２の表面をクリーニングするクリーニングローラ３３が対向、接触して配置されている。
【００１９】
現像ユニット４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送するパドルホイール４３が配置されている。更に、このパドルホイール４３の背面側には撹拌搬送用の一対のオーガ４４、４５が配設されている。現像ローラ４２には、現像剤の層厚を規制する層規制ロール４６が近接配置されている。
【００２０】
現像ハウジング４１の前側（Ｘ方向）上面には、トナー補給口４１ｃが形成されており、トナー補給口４１ｃには、前方に延びるトナー補給機構４７が連結されている。トナー補給機構４７内部には、補給オーガ４８が回転可能に支持されている。トナー補給機構４７の前端には、カートリッジホルダ４９が連結されており、トナーカートリッジＴｃからのトナーが流入する。したがって、現像ユニット４０でのトナーの消費量に応じて、補給オーガ４８が駆動され、現像ユニット４０にトナーカートリッジＴｃから現像剤が補給される。
【００２１】
回転する感光体ドラム３１の表面は、帯電ローラ３２により帯電され、露光装置ＬＨから出射する潜像形成光により静電潜像が形成される。感光体ドラム３１上に形成された静電潜像は現像ローラ４２によりトナー像として現像される。
【００２２】
搬送ローラ対２４の用紙搬送方向下流側には、搬送ローラ対２４から送り出された用紙を転写接触部へ案内する用紙案内ガイド６３、転写ローラ６２、トナー像が転写された用紙を定着ユニット７０へ案内する搬送ガイド６５、から構成される転写搬送ユニット６０が、開閉扉１１０を介して画像形成装置１本体に接離可能に支持されている。
転写ローラ６２には、コントローラ１１により制御される電源装置１３等から転写電圧が印加され、搬送ローラ対２４から送り出され、用紙案内ガイド６３により案内された用紙に感光体ドラム３１上のトナー像を転写する。
【００２３】
感光体ドラム３１表面の残留トナーは、クリーニングブレード３４により除去され、感光体ドラム３１を支持するハウジング内部に回収される。感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３表面に捕捉され、蓄積される。
【００２４】
定着ユニット７０は一対の定着ローラ７１、７２を有し、一対の定着ローラ７１、７２の圧接領域によって定着領域が形成される。
転写部においてトナー像が転写された用紙は、トナー像が未定着の状態で搬送ガイド６５を経由して定着ユニット７０に搬送される。定着ユニット７０に搬送された記録媒体は、一対の定着ローラ７１、７２により圧着と加熱の作用でトナー像が定着される。定着トナー像が形成された用紙は、搬送ガイド７４ａ，７４ｂによってガイドされ、排出ローラ対７３から画像形成装置１上面の排出トレイ部Ｔに排出される。
【００２５】
（２）用紙搬送部の構成と動作
図２は、本実施形態に係る画像形成装置１の用紙搬送部の内部構成と用紙搬送を示す断面模式図、図３は、用紙搬送部の部分断面模式図である。以下、図面を参照しながら、画像形成装置１の用紙搬送部の構成と動作について説明する。
【００２６】
用紙搬送部は、筐体１００、開閉扉１１０、用紙搬送ユニット５０、転写搬送ユニット６０、とから構成されている。
【００２７】
（２．１）筐体
筐体１００は、後方（−Ｘ方向）に開口部を有し、開口部内部に感光体ユニット３０及び現像ユニット４０が収容されている。
筐体１００の両側側板１００ａ、１００ａの開口部側下端には、開閉扉１１０の回動中心となる第１軸受部１０１、１０１が両側側板１００ａ、１００ａの板厚方向に貫通して形成され、後述する開閉扉１１０の回動軸部１１１、１１１を回動可能に軸支している。
【００２８】
第１軸受部１０１、１０１の前方（Ｘ方向）には、第２軸受部１０２、１０２が形成され、後述する用紙搬送ユニット５０の回動軸部５３、５３を回動可能に軸支している。
第２軸受部１０２、１０２は、筐体１００の上下方向（Ｚ方向）に長穴形状とされ、第２軸受部１０２、１０２に回動可能に軸支された用紙搬送ユニット５０は、長穴の長径の範囲内で筐体１００の上下方向（Ｚ方向）に移動可能とされている。
【００２９】
第１軸受部１０１、１０１と第２軸受部１０２、１０２の上方（Ｚ方向）には、位置決め部としての凹み１０３、１０３が形成されている。凹み１０３、１０３は後方（−Ｘ方向）側の一部が開放され、前後方向（Ｘ方向）の固定面１０３ａ、１０３ｂ及び上方（Ｚ方向）の固定面１０３ｃとからなり、前後方向（Ｘ方向）の固定面１０３ａ、１０３ｂ間の距離は、後述する用紙搬送ユニット５０の係止突起５４、５４の断面形状（寸法）と略一致するように設定されている。
すなわち、用紙搬送ユニット５０の係止突起５４、５４が凹み１０３、１０３に進入すると、係止突起５４、５４の前後方向（Ｘ方向）の側面５４ａ、５４ａが凹み１０３、１０３の前後方向（Ｘ方向）の固定面１０３ａ、１０３ｂと接触し、係止突起５４、５４の上方向（Ｚ方向）の面５４ｂは固定面１０３ｃで位置が規制されるように構成されている。
【００３０】
筐体１００の内部には、用紙引き出し部２２により前方（−Ｘ方向）に引き出された用紙を搬送ローラ対２４へ案内する第１の搬送ユニットとしての用紙案内ガイド２３が固定され、用紙案内ガイド２３には、搬送ローラ対２４の一方を構成する駆動ローラ２４ａが回転可能に軸支されている。
【００３１】
（２・２）開閉扉
開閉扉１１０は、下端部に左右一対の回動軸部１１１、１１１を有し、筐体１００の両側側板１００ａ、１００ａの開口部側下端に形成された第１軸受部１０１、１０１に嵌挿されて、回動可能とされている。
【００３２】
開閉扉１１０の筐体１００と対向する内面側には、下保持部１１２、１１２が左右一対に形成されている。下保持部１１２、１１２は上下方向（Ｚ方向）に長穴形状の案内溝１１２ａ、１１２ａを有し、後述する転写搬送ユニット６０に形成された下ボス部６６、６６が嵌挿されて転写搬送ユニット６０を上下方向（Ｚ方向）に移動可能に支持する。
また、下保持部１１２、１１２の上方（Ｚ方向）には、上保持部１１３、１１３が左右一対に形成されている。上保持部１１３、１１３は上下方向（Ｚ方向）に長穴形状の案内溝１１３ａ、１１３ａを有し、後述する転写搬送ユニット６０に形成された上ボス部６７、６７が嵌挿されて転写搬送ユニット６０を上下方向（Ｚ方向）に移動可能に支持する。
【００３３】
開閉扉１１０の筐体１００と対向する内面側には、案内部としての突起部１１６、１１６が左右一対に形成されている。突起部１１６、１１６は第１のテーパ部１１６ａ、１１６ａと、第１のテーパ部１１６ａに連なった第２のテーパ部１１６ｂ、１１６ｂと、第２のテーパ部１１６ｂに連なったＲ形状部１１６ｃ、１１６ｃとからなり、開閉扉１１０の開閉操作と連動して、後述する用紙搬送ユニット５０の開閉扉１１０側に、突起部１１６、１１６と対向して設けられた被案内部としての突起部５５、５５と接触する。そして用紙搬送ユニット５０を位置決め部としての凹み１０３、１０３へ案内する。
【００３４】
（２．３）用紙搬送ユニット
用紙搬送ユニット５０は、用紙案内ガイド５１と、搬送ローラ対２４を構成する従動ローラ２４ｂとからなる。用紙案内ガイド５１は、用紙積載板２１に積載され用紙引き出し部２２により前方（−Ｘ方向）に引き出された用紙を搬送ローラ対２４の接触部へ案内するための複数のガイドリブ５２、５２、・・・が形成された用紙案内面を有する。
従動ローラ２４ｂは、用紙案内ガイド５１の下流側（Ｚ方向）で、バネ部材Ｓ１によってガイドリブ５２、５２、・・・から用紙案内面へ突出する側へ付勢され、用紙搬送方向に対して回転自在に支持されている。
【００３５】
用紙案内ガイド５１の両側側面には、回動軸部５３、５３が左右一対に形成されている。回動軸部５３、５３は筐体１００の両側側板１００ａ、１００ａに形成された第２軸受部１０２、１０２に嵌挿され、用紙搬送ユニット５０は筐体１００に対して移動可能に構成される。
回動軸部５３、５３は円柱状に形成されており、円柱の外径は、筐体１００の上下方向（Ｚ方向）に長穴形状に形成された第２軸受部１０２、１０２の短径の幅に対して、略同等に形成されており、回動軸部５３、５３はガタつきが少ない状態で開閉扉１１０の開閉動作と連動して回動し、長穴の長径の範囲内で筐体１００の上下方向（Ｚ方向）に移動可能とされている。
なお、回動軸部５３、５３、回動軸部１１１、１１１、搬送ローラ対２４、転写ローラ６２、それらの軸は全て平行である。
【００３６】
用紙案内ガイド５１の両側側面には、係止突起５４、５４が左右一対に形成されている。係止突起５４、５４は筐体１００の両側側板１００ａ、１００ａに形成された位置決め部としての凹み１０３、１０３に嵌挿され、係止突起５４、５４の前後方向（Ｘ方向）の側面５４ａ、５４ａが凹み１０３、１０３の前後方向（Ｘ方向）の固定面１０３ａ、１０３ｂと接触し、係止突起５４、５４の上方向（Ｚ方向）の面５４ｂは固定面１０３ｃで位置決め規制される。
【００３７】
用紙案内ガイド５１の用紙案内面の他面側には、左右一対に被案内部としての突起部５５、５５が開閉扉１１０の内面側に形成された突起部１１６、１１６と対向して形成されている。突起部５５、５５は、開閉扉１１０の回動によって、開閉扉１１０の突起部１１６、１１６と接触しながら移動して、用紙搬送ユニット５０が位置決め部としての凹み１０３、１０３へ案内される。
【００３８】
（２．４）転写搬送ユニット
転写搬送ユニット６０は、転写搬送ハウジング６１と転写ローラ６２とか構成されている。転写搬送ハウジング６１には、搬送ローラ対２４から送り出された用紙を転写接触部へ案内する用紙案内ガイド６３、転写ローラ６２を保持する転写ローラ保持部６４、トナー像が転写された用紙を定着ユニット７０へ案内する搬送ガイド６５が一体に形成されている。
【００３９】
転写搬送ハウジング６１の用紙案内ガイド６３側の両側側面には、左右一対の下ボス部６６、６６が形成され、開閉扉１１０の下保持部１１２、１１２に設けられた上下方向（Ｚ方向）に長穴形状の案内溝１１２ａ、１１２ａに嵌挿されている。
また、転写搬送ハウジング６１の搬送ガイド６５側の両側側面には、左右一対の上ボス部６７、６７が形成され、開閉扉１１０の上保持部１１３、１１３に設けられた上下方向（Ｚ方向）に長穴形状の案内溝１１３ａ、１１３ａに嵌挿されている。
そして、転写搬送ユニット６０は、開閉扉１１０の筐体１００と対向する内面に上下方向（Ｚ方向）に移動可能に支持される。
【００４０】
転写ローラ６２は、両端部が軸受け部材６８、６８を介して転写ローラ保持部６４にバネ部材（不図示）によって感光体ドラム３１と接触する側へ付勢され、用紙搬送方向に対して回転可能に支持されている。軸受け部材６８、６８は、筐体１００に形成されたカギ部１０４、１０４に位置決め係止される。
【００４１】
（３）用紙搬送部の作用
このように構成される用紙搬送部は、使用者が、例えば用紙搬送部で発生した紙詰り用紙を除去する場合に、開閉扉１１０の開放動作とともに、用紙搬送ユニット５０及び転写搬送ユニット６０が筐体１００から回動して、搬送ローラ対２４の接触状態が解除される。
図４は開閉扉１１０の開動作による用紙搬送ユニット５０の移動を説明するための部分模式図、図５は係止突起５４、５４と凹み１０３、１０３との位置決め係止の解除構造の一例を説明するための模式図、図６は開閉扉１１０の閉動作による用紙搬送ユニット５０の移動を説明するための部分模式図、図７は開閉扉１１０の閉動作による転写搬送ユニット６０の移動を説明するための部分模式図である。
【００４２】
開閉扉１１０の開動作を開始すると、用紙搬送ユニット５０の突起部５５、５５を下方から押し上げている開閉扉１１０のＲ形状部１１６ｃ、１１６ｃが、突起部５５、５５と接触しながら移動し、続いて、Ｒ形状部１１６ｃ、１１６ｃと連なった第２のテーパ部１１６ｂ、１１６ｂが接触する位置まで移動する（図４（ａ）参照）。
そして、突起部５５、５５と第２のテーパ部１１６ｂ、１１６ｂとの接触が終了し、第１のテーパ部１１６ａ、１１６ａと接触する位置まで解放されると、用紙搬送ユニット５０の係止突起５４、５４が凹み１０３、１０３の前後方向（Ｘ方向）の固定面１０３ａ、１０３ｂから開放領域へ移動して、係止突起５４、５４と凹み１０３、１０３との位置決め係止が解除される（図４（ｂ）参照）。
【００４３】
用紙搬送ユニット５０は、搬送ローラ対２４を構成する従動ローラ２４ｂが受ける接触反力で、用紙案内ガイド５１が離接する方向へ移動して、搬送ローラ対２４の接触が解除され、紙詰り用紙を容易に除去することができる。
【００４４】
尚、開閉扉１１０が開位置へ移動した際に確実に搬送ローラ対２４の接触が解除されるように、搬送ローラ対２４の接触が方向に用紙搬送ユニット５０に力を付与することもできる。これは例えばバネ部材Ｓ２によって筐体１００の下方（−Ｚ方向）へ常時付勢することによって、用紙搬送ユニット５０の係止突起５４、５４が凹み１０３、１０３の前後方向（Ｘ方向）の固定面１０３ａ、１０３ｂから開放領域へ確実に移動して、係止突起５４、５４と凹み１０３、１０３との位置決め係止が解除されるようにしても良い（図５（ａ）参照）。
【００４５】
また、凹み１０３、１０３の固定面１０３ａと、係止突起５４の側面５４ａをテーパ形状として、搬送ローラ対２４を構成する従動ローラ２４ｂが受ける接触反力で係止突起５４、５４と凹み１０３、１０３との位置決め係止が解除されるようにしても良い（図５（ｂ）参照）。
【００４６】
また、開閉扉１１０に用紙搬送ユニット５０と接触する押し下げ突起Ｕを設け、開閉扉１１０の開動作の際に用紙搬送ユニット５０を押し下げ突起Ｕによって下方に移動させても良い（図５（ｃ）参照）。
【００４７】
開閉扉１１０を開放された開位置から閉位置に戻す場合、使用者が開閉扉１１０を筐体１００側へ回動させる。
開閉扉１１０の突起部１１６、１１６の第１のテーパ部１１６ａ、１１６ａと、用紙案内ガイド５１の突起部５５、５５が接触して、用紙搬送ユニット５０が筐体１００の第２軸受部１０２、１０２に軸支された回動軸部５３、５３を回動中心として、筐体１００の閉位置へ向かって回動を開始する（図６（ａ）参照）。
その後、開閉扉１１０の閉位置への移動に伴って、用紙搬送ユニット５０は、用紙案内ガイド５１の突起部５５、５５が、開閉扉１１０の第１のテーパ部１１６ａ、１１６ａと接触しながら、凹み１０３、１０３に嵌挿されるまで移動する。
【００４８】
そして、用紙搬送ユニット５０は、用紙案内ガイド５１の両側側面に形成された係止突起５４、５４が筐体１００の両側側板１００ａ、１００ａに形成された位置決め部としての凹み１０３、１０３に嵌挿されて位置決め保持される。
このとき、用紙案内ガイド５１のガイドリブ５２、５２、・・・から用紙案内面へ突出する側へ付勢されて支持されている従動ローラ２４ｂが搬送ローラ対２４を構成する駆動ローラ２４ａと接触して、開閉扉１１０にはその接触による反力が作用する。
【００４９】
そして、係止突起５４、５４は、第１のテーパ部１１６ａに連なった第２のテーパ部１１６ｂ、１１６ｂと接触しながら、前後方向（Ｘ方向）の固定面１０３ａ、１０３ｂと接触して規制されるとともに、上方向（Ｚ方向）の固定面１０３ｃに接触するように移動する（図６（ｂ）参照）。
尚、用紙搬送ユニット５０の回動軸部５３、５３は、筐体１００の第２軸受部１０２、１０２の長穴の長径の範囲内で筐体１００の上下方向（Ｚ方向）に移動する。
【００５０】
そして、用紙搬送ユニット５０は、突起部５５、５５が第２のテーパ部１１６ｂに連なったＲ形状部１１６ｃ、１１６ｃによって上方（Ｚ方向）へ押し上げられた状態で支持され、用紙搬送ユニット５０が筐体１００の凹み１０３、１０３に位置決めされ保持される（図６（ｃ）参照）。
【００５１】
このとき、用紙案内ガイド５１のガイドリブ５２、５２、・・・から用紙案内面へ突出する側へ付勢されて支持されている従動ローラ２４ｂが、搬送ローラ対２４を構成する駆動ローラ２４ａと接触し、その反力は、凹み１０３、１０３のうち、従動ローラ２４ｂが力を受ける方向と相対する面（１０３ａ）が受けるため、開閉扉１１０に作用する反力が減少し、開閉扉１１０が変形する虞がない。
すなわち、凹み１０３、１０３は従動ローラ２４ｂが力を受ける方向と直交する固定面１０３ａ、１０３ａを有し、固定面１０３ａにて搬送ローラ対２４に作用する反力を受け止めている。
【００５２】
用紙搬送による搬送ローラ対２４と用紙の摩擦力による用紙搬送ユニット５０を上方（Ｚ方向）へ持ち上げる反力は、凹み１０３、１０３が受けるため、開閉扉１１０に作用する反力が減少し、開閉扉１１０が変形する虞がない。
すなわち、凹み１０３、１０３は従動ローラ２４ｂが用紙の搬送によって力を受ける方向と直交する固定面１０３ｃ、１０３ｃを有し、固定面１０３ｃで従動ローラ２４ｂに作用する力を受け止めて、従動ローラ２４ｂのＺ方向に移動を規制している。
したがって、閉位置に位置する用紙搬送ユニット５０対して、凹み１０３が上方向（Ｚ方向）及び前後方向（±Ｘ方向）を位置決めし、開閉扉１１０は用紙搬送ユニット５０に作用する重力（−Ｘ方向）を支持している。
【００５３】
用紙搬送ユニット５０が筐体１００の第１の位置決め部としての凹み１０３、１０３に位置決めされるタイミングで、開閉扉１１０の内面側に上下方向（Ｚ方向）に移動可能に支持された転写搬送ユニット６０は、転写ローラ６２の両端部に設けられた軸受け部材６８、６８が、筐体１００に形成された第２の位置決め部としてのカギ部１０４、１０４のテーパ部１０４ａ、１０４ａと接触する（図７（ａ）参照）。
その後、開閉扉１１０の閉位置への移動に伴って、転写ローラ６２の軸受け部材６８、６８が、テーパ部１０４ａ、１０４ａと接触しながら摺動して移動して、カギ部１０４、１０４の固定面１０４ｂ、１０４ｃに位置決め規制される（図７（ｂ）参照）。
このとき、バネ部材（不図示）によって感光体ドラム３１と接触する側へ付勢されている転写ローラ６２は、感光体ドラム３１と接触して転写部を形成し、開閉扉１１０には、その反力が作用する。
【００５４】
そして、突起部５５、５５が、開閉扉１１０の第２のテーパ部１１６ｂに連なったＲ形状部１１６ｃ、１１６ｃによって支持され、用紙搬送ユニット５０が筐体１００の凹み１０３、１０３に保持される。
【００５５】
このようにして、開閉扉１１０を開放された開位置から閉位置に戻す場合、用紙搬送部を構成する用紙搬送ユニット５０と転写搬送ユニット６０が、それぞれ筐体１００に係止されて開閉扉１１０に反力を及ぼすニップを形成するタイミングが同時となることがない。
すなわち、開閉扉１１０の閉位置への移動に際し、用紙搬送ユニット５０が筐体１００の凹み１０３、１０３に係合して位置決めされた後に、転写搬送ユニット６０が筐体１００のカギ部１０４、１０４に係合して位置決めされる。そのために、開閉扉１１０に作用するニップ反力が分散されて、開閉扉１１０の閉操作を容易に行うことができる。
また、開閉扉１１０の閉位置への移動に際し、用紙搬送ユニット５０及び転写搬送ユニット６０から受ける反力が分散されて、開閉扉１１０の破損を抑制することができる。
【００５６】
「第２実施形態」
本実施形態に係る画像形成装置１Ａは、基本構成は第１実施形態に係る画像形成装置１と同様であり、位置決め部としての凹み１０３Ａの構造が異なる。従って、第１実施形態の画像形成装置１と共通の構成要素には同一の符号を付し、詳細な説明は省略する。
【００５７】
（１）用紙搬送部の構成と閉動作
図８は、用紙搬送部の部分断面模式図、図９は、開閉扉１１０Ａの閉動作による用紙搬送ユニット５０Ａの移動を説明するための部分模式図である。以下、図面を参照しながら、画像形成装置１Ａの用紙搬送部の構成と開閉扉１１０Ａの閉動作について説明する。
【００５８】
用紙搬送部は、筐体１００Ａ、開閉扉１１０Ａ、用紙搬送ユニット５０Ａ、転写搬送ユニット６０、とから構成されている。以下、第１実施形態に係る画像形成装置１と異なる筐体１００Ａの位置決め部としての凹み１０３Ａと、開閉扉１１０Ａの案内部としての第１突起部１１６Ａ、用紙搬送ユニット５０Ａの用紙案内ガイド５１Ａについて詳細に説明する。
【００５９】
（１．１）筐体
筐体１００Ａは、後方（−Ｘ方向）に開口部を有し、開口部内部に感光体ユニット３０及び現像ユニット４０が収容されている。
筐体１００Ａの両側側板１００Ａａ、１００Ａａの開口部側下端には、開閉扉１１０Ａの回動中心となる第１軸受部１０１、１０１が両側側板１００Ａａ、１００Ａａの板厚方向に貫通して形成され、後述する開閉扉１１０Ａの回動軸部１１１、１１１を回動可能に軸支している。
【００６０】
第１軸受部１０１、１０１の前方（Ｘ方向）には、第２軸受部１０２、１０２が形成され、用紙搬送ユニット５０Ａの回動軸部５３、５３を回動可能に軸支している。
【００６１】
第１軸受部１０１、１０１と第２軸受部１０２、１０２の上方（Ｚ方向）には、位置決め部としての凹み１０３Ａ、１０３Ａが形成されている。凹み１０３Ａは、図８に示すように、テーパ部１０３Ａａと、前後方向（Ｘ方向）の固定面１０３Ａｂ、１０３Ａｃ及び下方（−Ｚ方向）の固定面１０３Ａｄとからなり、上方（Ｚ方向）側の一部が開放されている。
そして、用紙搬送ユニット５０Ａの係止突起５４が１０３Ａａに案内されて固定面１０４ｂ、１０４ｃに位置決め規制されるように構成されている。
【００６２】
具体的には、前後方向（Ｘ方向）の固定面１０３Ａｂ、１０３Ａｃ間の距離は、用紙搬送ユニット５０Ａの係止突起５４、５４の断面形状（寸法）と略一致するように設定されている。
そして、用紙搬送ユニット５０Ａの係止突起５４、５４がテーパ部１０３Ａａ、１０３Ａａと接触しながら移動して凹み１０３Ａ、１０３Ａに嵌入されると、係止突起５４、５４の前後方向（Ｘ方向）の側面５４ａ、５４ａが凹み１０３Ａ、１０３Ａの前後方向（Ｘ方向）の固定面１０３Ａｂ、１０３Ａｃと接触し、係止突起５４、５４の下方向（−Ｚ方向）の面５４ｂは固定面１０３Ａｄで支持されて位置決め規制されるように構成されている。
【００６３】
（１・２）開閉扉
開閉扉１１０Ａは、下端部に左右一対の回動軸部１１１、１１１を有し、筐体１００Ａの両側側板１００Ａａ、１００Ａａの開口部側下端に形成された第１軸受部１０１、１０１に嵌挿されて、回動可能とされている。
【００６４】
開閉扉１１０Ａの筐体１００Ａと対向する内面側には、案内部としての第１突起部１１６Ａ、１１６Ａが左右一対に形成されている。第１突起部１１６Ａ、１１６Ａは、開閉扉１１０の開閉操作と連動して、用紙搬送ユニット５０Ａの開閉扉１１０Ａ側に、第１突起部１１６Ａ、１１６Ａと対向して設けられた被案内部としての第１突起部５５Ａ、５５Ａと接触する。そして用紙搬送ユニット５０Ａを位置決め部としての凹み１０３Ａ、１０３Ａへ案内する。
【００６５】
開閉扉１１０Ａの筐体１００Ａと対向する内面側で第１突起部１１６Ａ、１１６Ａの外側には、第２突起部１１７、１１７が左右一対に形成されている。第２突起部１１７、１１７には押圧部１１７ａ、１１７ａが設けられ、開閉扉１１０Ａの開閉操作と連動して、用紙搬送ユニット５０Ａの開閉扉１１０Ａ側に、第２突起部１１７、１１７と対向して設けられた第２突起部５６、５６と接触する。そして用紙搬送ユニット５０Ａを位置決め部としての凹み１０３Ａ、１０３Ａの固定面１０３Ａｄに押圧して位置決めする。
【００６６】
（１．３）用紙搬送ユニット
用紙搬送ユニット５０Ａは、用紙案内ガイド５１Ａと、搬送ローラ対２４を構成する従動ローラ２４ｂとからなる。用紙案内ガイド５１Ａは、用紙積載板２１に積載され用紙引き出し部２２により前方（−Ｘ方向）に引き出された用紙を搬送ローラ対２４の接触部へ案内するための複数のガイドリブ５２、５２、・・・が形成された用紙案内面を有する。
従動ローラ２４ｂは、用紙案内ガイド５１の下流側（Ｚ方向）で、バネ部材Ｓ１によってガイドリブ５２、５２、・・・から用紙案内面へ突出する側へ付勢され、用紙搬送方向に対して回転自在に支持されている。
【００６７】
用紙案内ガイド５１Ａの両側側面には、回動軸部５３、５３が左右一対に形成されている。回動軸部５３、５３は筐体１００Ａの両側側板１００Ａａ、１００Ａａに形成された第２軸受部１０２、１０２に嵌挿され、用紙搬送ユニット５０Ａは筐体１００Ａに対して移動可能に構成される。
【００６８】
用紙案内ガイド５１Ａの両側側面には、係止突起５４、５４が左右一対に形成されている。係止突起５４、５４は筐体１００Ａの両側側板１００Ａａ、１００Ａａに形成された位置決め部としての凹み１０３Ａ、１０３Ａに嵌挿され、係止突起５４、５４の前後方向（Ｘ方向）の側面５４ａ、５４ａが凹み１０３Ａ、１０３Ａの前後方向（Ｘ方向）の固定面１０３Ａｂ、１０３Ａｃと接触し、係止突起５４、５４の下方向（−Ｚ方向）の面５４ｂは固定面１０３Ａｄで支持されて位置決め規制される。
【００６９】
用紙案内ガイド５１の用紙案内面の他面側には、左右一対に被案内部としての第１突起部５５Ａ、５５Ａが開閉扉１１０の内面側に形成された第１突起部１１６Ａ、１１６Ａと対向して形成されている。第１突起部５５Ａ、５５Ａは、開閉扉１１０Ａの回動によって、開閉扉１１０Ａの第１突起部１１６Ａ、１１６Ａと接触しながら移動して、用紙搬送ユニット５０Ａが位置決め部としての凹み１０３Ａ、１０３Ａへ案内される（図９（ａ）参照）。
【００７０】
第１突起部５５Ａ、５５Ａの外側には、開閉扉１１０Ａの第２突起部１１７、１１７と対向して設けられた第２突起部５６、５６が左右一対に形成され、開閉扉１１０Ａの閉操作と連動して、開閉扉１１０Ａに設けられた第２突起部１１７、１１７の押圧部１１７ａ、１１７ａと接触する（図９（ｂ）参照）。そして用紙搬送ユニット５０Ａは位置決め部としての凹み１０３Ａ、１０３Ａの固定面１０３Ａｄに押圧された状態で位置決め保持される。
【００７１】
（２）作用
用紙搬送ユニット５０Ａの係止突起５４、５４がテーパ部１０３Ａａ、１０３Ａａと接触しながら移動して凹み１０３Ａ、１０３Ａに嵌入されると、係止突起５４、５４の前後方向（Ｘ方向）の側面５４ａ、５４ａが凹み１０３Ａ、１０３Ａの前後方向（Ｘ方向）の固定面１０３Ａｂ、１０３Ａｃと接触する。
そして、係止突起５４、５４の下方向（−Ｚ方向）の面５４ｂは固定面１０３Ａｄで支持されて、開閉扉１１０Ａの第２突起部１１７、１１７の押圧部１１７ａ、１１７ａで押圧された状態で位置決め保持される。
【００７２】
そのために、用紙案内ガイド５１Ａのガイドリブ５２、５２、・・・から用紙案内面へ突出する側へ付勢されて支持されている従動ローラ２４ｂが、搬送ローラ対２４を構成する駆動ローラ２４ａと接触して接触を形成し、その反力は、凹み１０３Ａ、１０３Ａが受けるため、開閉扉１１０Ａに作用する反力が減少し、開閉扉１１０Ａが変形する虞がない。
すなわち、凹み１０３Ａ、１０３Ａは従動ローラ２４ｂが力を受ける方向と直交する固定面１０３Ａｂ、１０３Ａｂを有し、固定面１０３Ａｂにて搬送ローラ対２４に作用する反力を受け止めている。
【００７３】
用紙搬送による搬送ローラ対２４と用紙の摩擦力による用紙搬送ユニット５０を上方（Ｚ方向）へ持ち上げる反力は、開閉扉１１０Ａに設けられた第２突起部１１７、１１７の押圧部１１７ａ、１１７ａを介して開閉扉１１０Ａの回動軸部１１１、１１１が受けることになる。そのために、開閉扉１１０Ａを画像形成装置１Ａの外側（−Ｘ方向）へ押し広げる反力が減少し、開閉扉１１０Ａが変形する虞がない。
さらに、凹み１０３Ａ、１０３Ａは上方向（Ｚ方向）が開放された形状となっているので、搬送ローラ対２４に詰まった用紙を引張った際、用紙に連れられて従動ローラ２４ｂが移動し、搬送ローラ対２４の接触が解除される。
【符号の説明】
【００７４】
１、１Ａ・・・画像形成装置
１０・・・制御ユニット
２０・・・給紙ユニット
２４・・・搬送ローラ対
２４ａ・・・駆動ローラ
２４ｂ・・・従動ローラ
３０・・・感光体ユニット
４０・・・現像ユニット
５０・・・用紙搬送ユニット
５１・・・用紙案内ガイド
５２・・・ガイドリブ
５３・・・回動軸部（用紙搬送ユニット）
５４・・・係止突起
５５・・・突起部
５５Ａ・・・第１突起部
５６・・・第２突起部
６０・・・転写搬送ユニット
７０・・・定着装置
１００、１００Ａ・・・筐体
１０１・・・第１軸受部
１０２・・・第２軸受部
１０３、１０３Ａ・・・凹み
１０３ａ・・・テーパ部
１０３ｂ、１０３ｃ、１０３Ａａ、１０３Ａｂ、１０３Ａｃ、１０３Ａｄ・・・固定面
１０４・・・カギ部
１０４ａ・・・テーパ部
１０４ｂ、１０４ｃ・・・固定面
１１０、１１０Ａ・・・開閉扉
１１１・・・回動軸部（開閉扉）
１１６・・・突起部
１１６Ａ・・・第１突起部
１１７・・・第２突起部
１１７ａ・・・押圧部
Ｓ１、Ｓ２・・・バネ部材
Ｕ・・・押し下げ突起
【図１】
2014139602.tif 000003
【図２】
2014139602.tif 000004
【図３】
2014139602.tif 000005
【図４】
2014139602.tif 000006
【図５】
2014139602.tif 000007
【図６】
2014139602.tif 000008
【図７】
2014139602.tif 000009
【図８】
2014139602.tif 000010
【図９】
2014139602.tif 000011